(57)【要約】【課題】      従来のノズルの放水口は１個そのものであるから、天井に向けて放水すると、床方向及び水平方向に同時に放水することはできなく、また、床に向けて放水する場合、消火作業者にかかる反動力は消火作業者を持ち上げる方向に働き、かつ、ホースの重さが天井に向けて放水した場合の重さよりも重くなる。このため、床に向けて放水する方が消火に有効であるにもかかわらず、床に向けて放水することができなく、かつ、床に放水すると水蒸気爆発が発生する問題点があった。【解決手段】  天井方向と反対方向の床に放水することにより反動力を低減し、かつ、右側方向と反対方向の左側方向に放水することにより反動力を低減し、数ｍの幅で床に放水する。【選択図】      図１
2009011576.tif 000002
【特許請求の範囲】
【請求項１】
１．消火ノズル（１）は天井方向放水ノズル群（以下天井ノズル群と略す）（１０）と床方向放水ノズル群（以下床ノズル群と略す）（２０）と水平方向放水ノズル群（以下水平ノズル群と略す）（３０）を設け、消火ノズル（１）の天井側位置に天井ノズル群（１０）、中間部位置に水平ノズル群（３０）、床側の位置に床ノズル群（２０）を設け、
２．消火ノズル（１）の筒先を天井に向け、ホース側を床方向に向けて放水した時（以下消火放水時と略す）、天井ノズル群（１０）を構成する複数個のノズル（１０−１，――，１０−ｍ，――，１０−ｎ）は天井方向を向き、かつ消火ノズル（１）の斜め左側、正面から斜め右側方向（以下天井左側、天井正面、天井右側と略す）に向いて、放射線状に放水する位置に固着し、
３．消火放水時、床ノズル群（２０）を構成する複数個のノズル（２０−１，――，２０−ｍ，――，２０−ｎ）は床方向を向き、かつ消火ノズル（１）の斜め左側、正面から斜め右側方向（以下床左側、床正面、床右側と略す）に向いて、放射線状に放水する位置に固着し、
４．消火放水時、水平ノズル群（３０）を構成する複数個のノズル（３０−１，――，３０−ｍ，――，３０−ｎ）は水平方向を向き、かつ消火ノズル（１）の斜め左側、正面、斜め右側方向（以下水平左側、水平中央、水平右側と略す）に向いて、放射線状に放水する位置に固着し、
数ｍの幅で床に向けての放水する床ノズル群（２０）の複数のノズル（２０−１、――、２０−ｍ、――、２０−ｎ）を設け、床で発生した水蒸気を水平ノズル群（３０）の複数個のノズル（３０−１，――、３０−ｍ、――、３０−ｎ）、及び天井ノズル群（１０）の複数個のノズル（１０−１，――、１０−ｍ、――，１０−ｎ）で冷却して水蒸気爆発を防ぐと同時に、天井ノズル群（１０）は直接天井部分を消火しかつ煙を除去して消火作業者を保護し、天井ノズル群（１０）の放水方向と床ノズル群（２０）の放水方向が反対方向でかつ各ノズル群（１０，２０，３０）の右方向に放水する複数個のノズルと左方向に放水するこの複数個のノズルの組み合わせにより、消火放水時の反動力を低減させることを特徴とする消火ノズル（１）
【発明の詳細な説明】
【技術分野】
【０００１】
本発明は、消火ノズルに複数個のノズルを搭載し、数ｍの幅で床に直接放水し、消火放水時天井と床に同時に放水し、また、右側と左側方向にも放水して反動力を低減させることに関するものである。
【背景技術】
【０００２】
従来のノズルは一方向の放水であり、床に向けての放水は多大の労力を要するので、火災の最盛時には天井方向だけに放水している。
【発明の開示】
【発明が解決しようとする課題】
【０００３】
従来のノズルは天井に向けて放水すると、一方向にしか放水できないから、床方向及び水平方向に同時に放水することはできない問題点があった。
【０００４】
また、床に向けて放水する場合、消火作業者は筒先を床に向けて放水するためには、ホース自体を持ち上げねばならないので、多大の労力を必要とする。このために、床に向けて放水する方が消火に有効であるにもかかわらず、床に向けて放水することができない問題点があった。  
【０００５】
また、複数個のノズルを有するノズルも同一方向に放水するので、床に放水する時、ホース自体を持ち上げて、消火作業をしなければならない問題点があった。
【０００６】
本発明において、消火ノズルは天井ノズル群、床ノズル群、水平ノズル群を設け、消火放水時の反動力を低減させるために、天井ノズル群は天井方向に放水し、床ノズル群は天井ノズル群と反対方向の床に放水し、かつ、各ノズル群において、右側に放水すると同時に、反対側の左側にも放水するノズルを設けることを目的とする。
【０００７】
また、床ノズル群は数ｍの幅で床に直接放水して鎮火させ、かつ、床で発生した水蒸気により、酸欠状態にして周囲を鎮火させると同時に、水平ノズル群により水蒸気を冷却し、天井ノズル群は水蒸気の冷却及び天井の消火をすることを目的とする。
【課題を解決するための手段】
【０００８】
上記目的を達成するために、本発明において、天井ノズル群の複数個のノズルは消火放水時には天井方向に放水し、床ノズル群の複数個のノズルは天井方向と反対方向の床方向に放水する。また、水平ノズル群の複数個のノズルは消火放水時には水平方向に放水する。
【０００９】
天井ノズル群、水平ノズル群、床ノズル群の複数個のノズルは消火放水時、右側方向に放水し、同時にその反対方向の左側方向にも放水する。
【発明の効果】
【００１０】
本発明は、以上説明したように構成されているので、以下に記載されるような効果を奏する。
【００１１】
消火ノズルの筒先を天井に向け、ホース側を床に向けて消火ノズルを斜めにして放水すると、天井方向に放水するばかりでなく、水平方向及び床方向に同時に放水することができる。
【００１２】
また、消火ホースを持ち上げる必要がないために、消火作業者がホースを保持する重量を最小限にして放水することができるので、長時間消火作業ができ、かつ、短時間で消火ができる。
【００１３】
また、床ノズル群の複数個のノズルから放水される床の放水範囲は数ｍの幅で奥行き数ｍ以上の範囲に放水されるから、床を直接消火でき、かつ、床で発生した水蒸気及び湯気で、壁、天井等の空間を酸欠状態にして、消火できる。  
【００１４】
水平ノズル群、天井ノズル群のノズルから放水される水により床で発生した熱、水蒸気を冷却して湯気にして水蒸気爆発を防ぎ、かつ、煙を除去することができる。  
【００１５】
天井ノズル群と床ノズル群の放水方向は反対方向で、かつ各ノズル群の右ノズルと左ノズルは放水方向が反対であるから、各ノズルから放水される反動力を相殺する力が働くので、消火作業者が消火放水時に掛かる力を低減させることができるので、長時間消火作業ができる。
【発明を実施するための最良の形態】
【００１６】
発明の実施の形態を図１〜図１０に基づいて説明する。
【実施例１】
【００１７】
図１において、天井ノズル群１０を消火ノズル１の天井側位置に、床ノズル群２０を床側位置に、水平ノズル群３０を中間側位置に固着した配置図を示す。
【実施例２】
【００１８】
図２に示す実施例は、天井ノズル群１０のノズル配置図を示し、天井ノズル群１０のノズル１０−１、――、１０−ｍ、――、１０−ｎを示す。
【実施例３】
【００１９】
図３に示す実施例は、床ノズル群２０の配置図を示し、床ノズル群２０のノズル２０−１、――、２０−ｍ、――、２０−ｎを示す。
【実施例４】
【００２０】
図４に示す実施例は、水平ノズル群３０の配置図を示し、水平ノズル群３０の複数個のノズル３０−１、――、３０−ｍ、――、３０−ｎを示す。
【実施例５】
【００２１】
図５に示す実施例は、図１Ａ−Ａの断面図を示し、天井ノズル群１０のノズル１０−ｍ、水平ノズル群２０のノズル３０−ｍ、床ノズル群２０のノズル２０−ｍを示し、消火放水時、ノズル１０−ｍは天井方向に放水する角度で、ノズル３０−ｍは水平方向に放水する角度で、ノズル２０−ｍは床方向に放水する角度で固着する。
【実施例６】
【００２２】
図６に示す実施例は、図１Ｂ−Ｂの断面図を示し、天井ノズル群１０のノズル１０−ｎ、水平ノズル群３０のノズル３０−ｎ、床ノズル群１０のノズル２０−ｎを示し、消火放水時、ノズル１０−ｎは天井方向に放水する角度で、ノズル３０−ｎは水平方向に放水する角度で、ノズル２０−ｎは床方向に放水する角度で固着する。
【実施例７】
【００２３】
図７に示す実施例は、図１Ｃ−Ｃの断面図を示し、天井ノズル群１０のノズル１０−１、水平ノズル群３０のノズル３０−１、床ノズル群２０のノズル２０−１を示し、消火放水時、ノズル１０−１は天井方向に放水する角度で、ノズル３０−１は水平方向に放水する角度で、ノズル２０−１は床方向に放水する角度で固着する。
【実施例８】
【００２４】
図８に示す実施例は、図１Ｘ−Ｘの天井ノズル群の断面図を示し、天井ノズル群１０の複数個のノズル１０−１、――、１０−ｍ、――、１０−ｎを示し、ノズル１０−ｍを中央に位置し、天井左のノズル１０−１は斜め左側方向に、天井正面のノズル１０−ｍは天井正面に、天井右のノズル１０−ｎは斜め右側方向に放水する位置に固着する。
【実施例９】
【００２５】
図９に示す実施例は、図１Ｙ−Ｙの床ノズル群２０の断面図を示し、床ノズル群の複数個のノズル２０−１、――、２０−ｍ、――、２０−ｎを示し、床左のノズル１０−１は斜め左側方向に、床正面のノズル１０−ｍは床正面に、床右のノズル１０−ｎは斜め右側方向に放水する位置に固着する。
【実施例１０】
【００２６】
図１０に示す実施例は、図１Ｚ−Ｚの水平ノズル群３０の断面図を示し、水平ノズル群のノズル３０−１、――、３０−ｍ、――、３０−ｎを示し、水平左のノズル１０−１は斜め左側方向に、水平正面のノズル１０−ｍは水平正面に、水平右のノズル１０−ｎは斜め右側方向に放水する位置に固着する。
【実施例１１】
【００２７】
図１１に示す実施例は、消火放水時の図１Ａ−Ａの断面図を示す。
【図面の簡単な説明】
【００２８】
【図１】消火ノズルの配置図
【図２】天井ノズル群の配置図
【図３】床ノズル群の配置図
【図４】水平ノズル群の配置図
【図５】図１のＡ−Ａの断面図
【図６】図１のＢ−Ｂの断面図
【図７】図１のＣ−Ｃの断面図
【図８】図１のＸ−Ｘの断面図
【図９】図１のＹ−Ｙの断面図
【図１０】図１のＺ−Ｚの断面図
【図１１】消火放水時、図１のＡ−Ａの断面図
【符号の説明】
【００２９】
１        消火ノズル
１０      天井ノズル群
２０      床ノズル群
３０      水平ノズル群
１０−１、――、１０−ｍ、――、１０−ｎ    天井ノズル群のノズル
２０−１、――、２０−ｍ、――、２０−ｎ    床ノズル群のノズル
３０−１，――、３０−ｍ、――、３０−ｎ    水平ノズル群のノズル
【図１】
2009011576.tif 000003
【図２】
2009011576.tif 000004
【図３】
2009011576.tif 000005
【図４】
2009011576.tif 000006
【図５】
2009011576.tif 000007
【図６】
2009011576.tif 000008
【図７】
2009011576.tif 000009
【図８】
2009011576.tif 000010
【図９】
2009011576.tif 000011
【図１０】
2009011576.tif 000012
【図１１】
2009011576.tif 000013